Podtech/llm-jp-corpus-v4-ja_patent huggingface dataset:
(57)【要約】      （修正有）【課題】船からイカリを上げる際に、重いイカリを簡単に巻き上げる事ができるイカリ巻き上げ機を提供する。【解決手段】船が停止するときに使用するイカリを、船の速力と浮き玉の浮力を利用する事で引き上げることができるイカリ巻き上げ機であって、本体と、本体の上部に斜めに取り付けたレバー１と、レバーに取り付けた浮き玉とを備え、本体の入口３から出口４にイカリのロープを通す事とレバーに浮き玉を取り付けておく事の組み合わせにより、イカリが浮力と船の速力を利用して本体まで引き上げられ、レバーがストッパーになりイカリを止め、ロープをたぐり寄せる事で重いイカリを少ない力で船上に引き上げる事ができる。【選択図】図１
0003218437.tif 000002
【実用新案登録請求の範囲】
【請求項１】
船が停止するときに使用するイカリを、人の手で巻き上げる事をなくし、船の速力を利用する事でこのイカリ巻き上げ機まで引き上げる事ができ、レバーがストッパーになることにより引き上げたイカリをしっかりと止めておく事ができるので、重いイカリを少ない力で船に上げる事ができるようにした簡単イカリまき上げ機
【考案の詳細な説明】
【技術分野】
【０００１】本考案は、船のイカリを船の上に引き上げる際に関するものである。
【背景技術】
【０００２】船の停止時に降ろしたイカリを、船が出航又は移動する際にイカリを巻き上げる時に小型の船は人の手で巻き上げていた。
【考案の概要】
【考案が解決しようとする課題】
【０００３】船を停めたあと、始動する際には必ずイカリを巻き上げる作業をやらなければならない仕事であるが、イカリは大変重く、人の手による巻き上げは体力がいる仕事であり又危険な仕事でもある。
高齢者等には、重労働となっているが自動の巻き上げ機は高額で手が届かなかったりする。
前述の欠点を解決しようとするものである。
【課題を解決するための手段】
【０００４】本考案は、船が停止するときに使用する重いイカリを人の手で巻き上げる事をなくし、船の速力を利用する事で高齢の方でも体力を使わずに、このイカリ巻き上げ機まで引き上げる事ができ、レバーがストッパーになるので巻き上げたイカリをしっかり止めておく事ができるようにしたものである。
【考案の効果】
【０００５】上述のように、このイカリまき上げ機を使用することにより年齢に関係なく、重いイカリが簡単にスルスルと巻き上げる事ができ、高齢で体力に不安のある人でイカリの巻き上げがつらいと思っている人も、楽に作業をする事ができます。
【図面の簡単な説明】
【０００６】
【図１】本考案のイカリ巻き上げ機の正面図である。
【考案を実施するための形態】
【０００７】本体のストッパーレバー▲１▼の先の穴▲２▼に浮き玉を取り付けておく。
つぎに、船を移動させる前の準備として、船の前方にあるイカリのロープを後方に持ってくる。その時にイカリについているロープを本体のストッパーレバーの方▲３▼から差し込み、▲４▼からロープを出しそのロープを船の後方に結んでおく。そこまでの準備ができたら本体を水中に落として、エンジンを始動させ前方向に３ノット以上で３〜５分（イカリが沈んでいる深さによって時間に差がでる）走行した所で、エンジンを停止し、船の後方に結んでおいたロープをたぐり寄せる。
本体にイカリがくっついた状態で引き寄せられるので、船の上に上げる。
【符号の説明】
【０００８】▲１▼  ストッパーレバー
▲２▼  ストッパーレバー穴
▲３▼  ロープ差し込み入口
▲４▼  ロープ差し込み出口
【図１】
0003218437.tif 000003
【手続補正書】
【提出日】平成30年1月15日(2018.1.15)
【手続補正１】
【補正対象書類名】実用新案登録請求の範囲
【補正対象項目名】全文
【補正方法】変更
【補正の内容】
【実用新案登録請求の範囲】
【請求項１】
船が停止するときに使用するイカリを人の手で巻き上げる事をなくし船の速力と浮き玉の浮力の力を利用する事でイカリを引き上げる事ができるもので本体の中に入っている骨車の間にイカリのロープを通す事と上部に斜めに取り付けたレバーに浮き玉を取り付けておくことの組み合わせによりイカリが浮力と速力を利用して本体まで引き上げられレバーがストッパーになりイカリをしっかりと止めておく為に重いイカリを少ない力で船上に引き上げる事ができる
【手続補正書】
【提出日】平成30年8月1日(2018.8.1)
【手続補正１】
【補正対象書類名】実用新案登録請求の範囲
【補正対象項目名】全文
【補正方法】変更
【補正の内容】
【実用新案登録請求の範囲】
【請求項１】
船が停止するときに使用するイカリを、人の手で巻き上げる事をなくし、船の速力と浮き玉の浮力を利用する事でイカリを引き上げることができるイカリ巻き上げ機であって、
本体と、前記本体の上部に斜めに取り付けたレバーと、前記レバーに取り付けた浮き玉とを備え、前記本体の中にイカリのロープを通す事と前記レバーに前記浮き玉を取り付けておく事の組み合わせにより、イカリが浮力と速力を利用して前記本体まで引き上げられた前記レバーがストッパーになりイカリをしっかりと止めておくために重いイカリを少ない力で船上に引き上げる事ができるイカリ巻き上げ機。
(57)【要約】      （修正有）【課題】道路中央帯上部設置太陽光発電電力蓄電装置を提供する。【解決手段】道路中央帯上部設置太陽光発電電力蓄電装置において、長距離におよび道路中央帯上部に太陽光発電装置を設けて発電した電力を蓄電するにさいし、蓄電装置２の蓄電池の蓄電容量に合わせて太陽光発電装置を区画し、前記区画した太陽光発電装置に接続された蓄電装置２で電力の各蓄電を行ない、各区画における蓄電装置２を互いに蓄電装置接続ケーブル３で接続して蓄電容量を大きくしたことを特徴とする。【選択図】図１
0003218439.tif 000002
【実用新案登録請求の範囲】
【請求項１】
道路中央帯上部設置太陽光発電電力蓄電装置において、長距離におよび道路中央帯上部に太陽光発電装置を設けて発電した電力を蓄電するにさいし、蓄電装置の蓄電池の蓄電容量に合わせて太陽光発電装置を区画し、各区画した電力の各蓄電を行ない、各区画の蓄電池を接続して蓄電容量を大きくする道路中央帯上部設置太陽光発電電力蓄電装置。
【考案の詳細な説明】
【技術分野】
【０００１】  太陽光発電電力の蓄電装置に関する。
【背景技術】
【０００２】  従来、電力の蓄電池容量が問題であった。
【考案の概要】
【考案が解決しようとする課題】
【０００３】  本考案は、長距離、広域におよび発電蓄電を行ない、一部地域における地震災害に対応、また電気自動車充電の便を図り、道路沿い地域における電力供給装置、ひいては、地域活性化を図る。なお、従来、太陽光発電装置を野面に設け、野地の荒廃をもたらしている。野地の荒廃を少なくする。
【課題を解決するための手段】
【０００４】  道路統計資料によると国内における高速自動車国道延長は８４２７．７ｋｍである。諸事情を考慮して、４０００ｋｍの道路中央帯に幅２．５ｍの太陽光発電パネルを設けるとき、パネル総面積は１０００００００ｍ２である。太陽光発電パネルの標準発電量は１００００ｍ２で１０００ｋｗであるゆえに、発電量は１００００００ｋｗである。なお、道路添いの河川の発電電力、不便な山野地における発電電力、道路インターチェンジ空地利用発電電力を加えることが可能である。この長距離におよび発電した電力の蓄電装置において、蓄電池の蓄電容量に合わせて太陽光発電装置を区画して蓄電を行ない、各区画の蓄電池を接続して蓄電量を大きくする。そのさい、各区画の蓄電装置に蓄電池の他に必要に応じて充電・給電装置と無停電電源装置を併設することが可能である。ここにおいて、太陽光発電装置による発電不能の地区と時間帯、また、太陽光発電装置の一部故障のさい、および、天候により発電不能の地区に他地区ら電力供給をおこなうことが可能である。
【考案の効果】
【０００５】  地震震災に対応し、また、電気自動車充電の便利を図り電気自動車の普及を促す。また、道路沿い地域に給電することにより地域の活性化につながる。
【図面の簡単な説明】
【０００６】
【図１】道路中央帯上部に太陽光発電装置の区画と蓄電池を含む蓄電装置の接続図である。
【考案を実施するための形態】
【０００７】  以下、本装置の実施の形態を図１に示して説明する。
【実施例】
【０００８】  図１において、１の道路中央帯上部太陽光発電パネル区画部と、当該、区画部に対応する蓄電池装置、いわゆる、蓄電装置２を３の蓄電装置接続ケーブルで接続する。
【符号の説明】
【０００９】１  太陽光発電パネル区画部
２  蓄電池を含む蓄電装置
３  蓄電池を含む蓄電装置を接続するケーブル
【産業上の利用可能性】
【０００１０】電気自動車の充電を良好にして電気自動車の普及を促す。道路を走行するガソリンエンジン駆動自動車による排気ガスの減少を図る。無停電電源の役割を行なうことが可能である。
【図１】
0003218439.tif 000003
【手続補正書】
【提出日】平成30年4月26日(2018.4.26)
【手続補正１】
【補正対象書類名】実用新案登録請求の範囲
【補正対象項目名】全文
【補正方法】変更
【補正の内容】
【実用新案登録請求の範囲】
【請求項１】
広域多地区太陽光発電連結相乗補完電力蓄電装置について、太陽光発電において、晴雨天候、または、曇天、および、晴天、ならびに、太陽光の強弱により発電が良好な地域と発電が不良な地域が生じるのに対し、広域、多地区に設置していている、各、太陽光発電装置による発電電力を蓄電する蓄電池を主に、送配電装置、充電装置を含む電力蓄電装置（以後、発電電力を蓄電する蓄電池を主に、送配電装置、充電装置を含む電力蓄電装置を蓄電装置と記す）を連結して各、蓄電装置間において相乗補完を行うことができる点で有効であり、しかし、各、発電場、したがって、各、蓄電装置場が山野におよび遠隔な場合は蓄電装置の連結が比較的困難であり、本考案の蓄電装置の有効性を表明するにあたり、広域多地域にわたる道路の場合において、中央帯を有する道路の中央帯の上部に太陽光発電装置を設置した場合に発電電力を蓄電する蓄電装置を設ける場合において、すなわち、長く広域の地区域にわたり太陽光発電を行ない発電電力を蓄電するのにさいし、太陽光発電装置を一定の長さに区画し、その一案として道路距離が４０００ｋｍの道路に太陽光発電装置を設ける場合に、一区画１０ｋｍに区画して４００区画を設け、一区画１０ｋｍにおける太陽光発電電力を蓄電する蓄電装置を各区画毎に４００装置設け、各蓄電装置を電線により接続連結するにさいし、水力、火力、原子力発電と比較する場合に、水力、火力、原子力発電場と電力需要場の距離が遠隔なることが多いゆえ、送配電電圧か高圧となり、なお、送配電設備も高額になる場合が多くなるのに比して、本考案、本記の道路の中央帯の上部に太陽光発電装置を設置した場合の太陽光発電電力を蓄電する蓄電装置を連結して運用する場合には、各、蓄電装置設置間隔が１０ｋｍとなって少ないゆえ、水力、火力、原子力発電電力送配電電圧に比し本考案のほうが低電圧となり、なお、送配電設備も少額となり、また、長い地区広域における発電電力と、その電力を蓄電する蓄電装置、４００装置を連結して一体化して電力蓄電容量を大にすることができるとともに、本考案、本記の道路の中央帯の上部に設置する太陽光発電電力を蓄電をする蓄電装置において、一部区画・一部地域の海岸沿い道路が津波で発電が不能になったとき、山地、高所道路での発電電力と蓄電装置により相乗補完を行うことが可能であり、また、山地において水害、山崩れ被害で発電が不能になったとき、海岸沿い道路での発電と蓄電装置により相乗補完を行いことを可能にし、その効用効果を広地域の距離４０００ｋｍに及ぼすことを可能にする広域多地区太陽光発電連結相乗補完電力蓄電装置。
【手続補正書】
【提出日】平成30年7月27日(2018.7.27)
【手続補正１】
【補正対象書類名】実用新案登録請求の範囲
【補正対象項目名】全文
【補正方法】変更
【補正の内容】
【実用新案登録請求の範囲】
【請求項１】
道路中央帯上部設置太陽光発電電力蓄電装置において、長距離におよび道路中央帯上部に太陽光発電装置を設けて発電した電力を蓄電するにさいし、蓄電装置の蓄電池の蓄電容量に合わせて太陽光発電装置を区画し、前記区画した太陽光発電装置に接続された前記蓄電装置で電力の各蓄電を行ない、各区画における前記蓄電装置を互いに蓄電装置接続ケーブルで接続して蓄電容量を大きくしたことを特徴とする、道路中央帯上部設置太陽光発電電力蓄電装置。
(57)【要約】      （修正有）【課題】製作コストを安くできる上、被り心地が良く、着用時の作業がスムーズで、快適に着用できる日除け帽子を提供する。【解決手段】日除け帽子１は、顔面を覆うことが可能な網目部２と、左の耳部近傍の左耳を覆う網目部３と、右の耳部近傍の右耳を覆う網目部を除く部分は日除け布５で構成されており、頭部の日焼けを完全に防止することができる。日除け帽子１の顔面を覆うことが可能な網目部２の下部の日除け布部５ａに沿って紐６が通入されており、調節部材７から引き出される紐６の長さを調節して網目部２の下側を絞ることにより、虫類の進入を防止することができる。【選択図】図１
0003218185.tif 000002
【実用新案登録請求の範囲】
【請求項１】
着用者の頭部全体を覆うことが可能であって、顔面を覆うことが可能な網目部と、左右の耳部近傍に耳部を覆う網目部を備えたことを特徴とする日除け帽子。
【請求項２】
顔面を覆うことが可能な網目部の下部の日除け布部に沿って紐が通入してある請求項１記載の日除け帽子。
【考案の詳細な説明】
【技術分野】
【０００１】
本考案は日除け帽子に関し、特に、着用時の作業がスムーズで、快適に着用できる構造を備えた日除け帽子に関する。
【背景技術】
【０００２】
日除け用の帽子は、野外での農作業や園芸作業の際に顔や首が日焼けすることを防ぐために用いられる。このような日焼け防止用の帽子として、帽子全体に日除け布が取り付けられた帽子が用いられており、例えば、半円の麦わら帽子に日除け布が取り付けられた、いわゆる半麦がある。半麦には、着用の際に半円の麦わら帽子を頭部に固定するために、帽子本体の後ろ側に平ゴムが設けられた構成を備えたものがある。
【０００３】
しかし、半麦はクラウン部が頭全体ではなく、頭の前側半分を覆っているに過ぎない。このため、クラウン部を頭に押さえつける手段として平ゴムを用いる従来の構成は、安定的に帽子を着用することができない。特に、半麦は大きな鍔を備えており、着用した状態で頭を上下するたびに、帽子がずれてしまうという問題があった。この問題を解決するために、日除け布に細長い紐を取り付け、この紐を首に結びつけて固定する半円麦わら帽子（半麦）が提案されている（特許文献１）。
【０００４】
特許文献１に記載された半麦は、従来の平ゴムに代えて、日除け布に細長い紐が縫い付けられた構成を備えている。日除け布に縫いつけられた紐を顎にかけて結ぶことにより、日除け布を介して帽子本体を着用者の頭に安定して固定することができる。
【０００５】
しかし、特許文献１の半麦のように、帽子を固定するための紐を日除け布の襟足近くに平面的に縫いつけると、着用者の後頭部に日除け布が密着して通気性が低下し、後頭部が蒸れて着用時の快適性が低下するという問題がある。
【０００６】
上記特許文献１に記載された半麦を含め、従来の殆どの日除け付き帽子は、帽子本体が、着用者の頭部の上半分を覆うように、即ち前頭部から天頂部及び後頭部にわたる頭部の上半分全体を覆うように略半球状に形成されていることから、着用者の頭の大きさによってサイズが異なる帽子を何種類も作る必要があって、必然的に製作コストが高くなる。また特に女性の場合は、頭の後ろで髪を束ねるなどして後頭部の髪が大きく盛り上がっていることがあり、そうすると頭の大きさは比較的小さいのに、帽子はかなり大きめのものを着用しなければならず、そのために被り心地が悪い上に、外観上の体裁も悪くなる、と云った問題があった。
【先行技術文献】
【特許文献】
【０００７】
【特許文献１】特開２００６−２００１０２号公報
【考案の概要】
【考案が解決しようとする課題】
【０００８】
本考案は、上記課題を解決するためになされたものであり、その目的は、女性でも男性でも着用者の頭の大きさや髪形に関係なく着用でき、それによって製作コストを安くできる上、被り心地が良く、着用時の作業がスムーズで、快適に着用できる日除け帽子を提供することにある。
【課題を解決するための手段】
【０００９】
本考案者は、前記課題を解決するために鋭意検討をおこなった結果、次のような手段を採用するものである。
（１）着用者の頭部全体を覆うことが可能であって、顔面を覆うことが可能な網目部と、左右の耳部近傍に耳部を覆う網目部を備えたことを特徴とする日除け帽子。
（２）顔面を覆うことが可能な網目部の下部の日除け布部に沿って紐が通入してある（１）の日除け帽子。
【考案の効果】
【００１０】
本考案の日除け帽子は、顔面を覆うことが可能な網目部を備えているので、通気性が良好であって、着用者の頭部に密着して蒸れるということがなく、非常に快適である。また、左右の耳部近傍に耳部を覆う網目部を備えているので、着用時に近隣にいる人との会話が妨げられず、携帯電話での通話が可能であるから、着用時の作業がスムーズに進み、危険予知が可能である。また、顔面を覆うことが可能な網目部の下部の日除け布部に沿って通入された紐の長さを調節することにより、虫類の進入を防止することができる。
【図面の簡単な説明】
【００１１】
【図１】図１は、本考案の日除け帽子の左側面図である。
【図２】図２は、本考案の日除け帽子の斜視図である。
【考案を実施するための形態】
【００１２】
本考案の実施形態について、図面を参照しながら説明するが、本考案の技術的範囲を逸脱しない限り、様々な変更や修正が可能なことは言うまでもない。
【００１３】
図１及び図２に示すように、本考案の日除け帽子１は、着用者の頭部全体を覆うことが可能である。日除け帽子１は、顔面を覆うことが可能な網目部２と、左の耳部近傍の左耳を覆う網目部３と、右の耳部近傍の右耳を覆う網目部４を除く部分は日除け布５で構成されており、頭部の日焼けを完全に防止することができる。
【００１４】
日除け帽子１の顔面を覆うことが可能な網目部２の下部の日除け布部５ａに沿って紐６が通入されており、調節部材７から引き出される紐６の長さを調節して網目部２の下側を絞ることにより、虫類の進入を防止することができる。
【００１５】
日除け帽子１は顔面を覆うことが可能な網目部２を備えているので、通気性が良好であって、着用者の頭部に密着して蒸れるということがなく、非常に快適である。
【００１６】
日除け帽子１は、左の耳部近傍の左耳を覆う網目部３と、右の耳部近傍の右耳を覆う網目部４を備えているので、着用時に近隣にいる人との会話が妨げられず、携帯電話での通話が可能であるから、着用時の作業がスムーズに進み、危険予知が可能である。
【産業上の利用可能性】
【００１７】
本考案の日除け帽子は、紐６の長さを調節することにより虫類の進入を防止することができ、顔面を覆う網目部２を備えているので通気性が良好であり、左右の耳部近傍に耳部を覆う網目部３および４を備えているので、近隣にいる人との会話が妨げられず、携帯電話での通話が可能であるから、着用時の作業がスムーズに進み、危険予知が可能である。このように、簡便な構造でありながら、実用性能に極めて優れた日除け帽子である。
【符号の説明】
【００１８】
１  日除け帽子
２、３、４  網目部
５  日除け布
５ａ  日除け布部
６  紐
７  調節部材
【図１】
0003218185.tif 000003
【図２】
0003218185.tif 000004
(57)【要約】      （修正有）【課題】ケラバと横桟の骨組に波板を張った屋根へ、波板を挟み込みケラバ部分の横桟の所へ留金具で留め固定させる波板カバーを提供する。【解決手段】波板の縁部を補う長尺状の波板カバー２であって、縁部が挿入される上下の挟み板２０、２１と、上下の挟み板２０、２１にそれぞれ接続されて、下方に伸びる側板２２、２３とを備え、これらの各側板２２、２３の下端部が互いに連結されている。【選択図】図１
0003218137.tif 000002
【実用新案登録請求の範囲】
【請求項１】
波板の縁部を被う長尺状のカバーであって、前記縁部が挿入される上下の挟み板と、前記上下の挟み板にそれぞれ接続されて下方に伸びる側板とを備え前記各側板の下端部がお互いに連結されている波板カバー。
【考案の詳細な説明】
【技術分野】
【０００１】  本考案は波板のケラバ部分を被うカバーに関する。
【背景技術】
【０００２】  波板の端部が被われることはない。
【先行技術文献】
【特許文献】
【０００３】
【特許文献】特開２００３−０２０７６３号公報
【考案の概要】
【考案が解決しようとする課題】
【０００４】  波板が剥き出しの状態になるため衝撃を受けるとひび割れて、台風などの時、捲れる事になり、割れる事がある。
【課題を解決するための手段】
【０００５】  本考案は、この問題を解決することを課題としたもので本考案は、波板の縁部を補う長尺状の波板カバーであって前記縁部が挿入される上下の挟み板と、前記上下の挟れにそれぞれ接続されて、下方に伸びる側板とを備え、前記各側板の下端部が互いに連結されていることを特徴とする。
【考案の効果】
【０００６】  上述の様に、本考案は波板のケラバの縁部へ上下の挟み板が挿入されるから上、横からの衝撃を受けても耐えられる。
【図面の簡単な説明】
【０００７】
【図１】本考案の波板カバーの斜面図
【図２】波板端へ取付けた状態の図
【図３】従来のケラバ部分の波板屋根
【図４】波板屋根の骨組の図
【考案を実施するための形態】
【０００８】  波板屋根はプラスチックの波板が多く使われている。比較的に屋根が低い所が多いので、衝撃を受けやすい。端部分のケラバへ波板カバーを利用することで解決する。
【実施例】
【０００９】  以下、添付図に従って実施例を説明する。図１〜図４において１は波板、２は波板カバー、３はケラバ、４は留金具、５は横桟である。
波板カバー２は、波板１の縁部が挿入される上下の挟み板２０・２１と、この上下に伸びる側板２２・２３とを備え、これらの側板２２・２３の下端部が互いに連結されている構造である。【００１０】  波板１の端部を上下に挟み込む波板、カバー２が側面視がＬ字状に形成されているため、曲げ強度が強化され、風雨にさらされても耐久性が向上する。
【符号の説明】
【００１１】１．波板
２．波板カバー
３．ケラバ
４．留金具
５．横桟
２０・２１．挟み板
２２・２３．側板
【図１】
0003218137.tif 000003
【図２】
0003218137.tif 000004
【図３】
0003218137.tif 000005
【図４】
0003218137.tif 000006
(57)【要約】      （修正有）【課題】冷凍設備の冷凍サイクルにおいて、電磁弁と膨張弁の間で生ずる冷媒の液ハンマー現象による衝撃を軽減する冷凍装置を提供する。【解決手段】圧縮機、凝縮器、電磁弁、膨張弁、および蒸発器の順で配管接続され冷媒が循環する冷凍サイクルにおいて、電磁弁と膨張弁の間に、気体の冷媒を封じこめる構造を持った冷媒液ハンマー衝撃軽減装置を取り付ける。電磁弁が開いた時に液体の冷媒が軽減装置の入口側６ｃから出口側６ｄを経て膨張弁に衝突する、それと同時に隙間６ｅの液体の冷媒が密封容器６ａの空間６ｂに気体の冷媒を封じ込める。その封じ込められた気体の冷媒が持つ圧縮性で衝突の衝撃を吸収し軽減することができる。【選択図】図１
0003218140.tif 000002
【実用新案登録請求の範囲】
【請求項１】
圧縮機、凝縮器、電磁弁、膨張弁、蒸発器等で構成される冷凍サイクルで、電磁弁と膨張弁の間に取り付ける冷媒の液ハンマー衝撃軽減を目的とした装置。
【考案の詳細な説明】
【技術分野】
【０００１】  本考案は、冷凍サイクルの電磁弁が開いたときに膨張弁との間で生じる液ハンマー現象による衝撃の軽減に関するものである。
【背景技術】
【０００２】  近年多く使用されるようになったフロンガス冷媒は、従来の冷媒より運転圧力が高く電磁弁と膨張弁との間で生ずる液ハンマーによる衝撃は以前より格段大きくなった。それに伴い冷媒配管や機器の損傷が多くなり、設備の信頼性が下がり、フロンガスの漏れも多くなっている。上記の問題を解決するためすでに、電磁弁を使用しなくてもよい電子膨張弁、電磁弁と膨張弁を一体化したもの、電磁弁にバイパス回路を設け均圧させるもの、電磁弁の入口側の液冷媒管にヒーターを付け液冷媒の一部を気化させるもの、電磁弁と膨張弁の間の冷媒管に大きな空間を設けるもの等が提案されている。
【先行技術文献】
【特許文献】
【０００３】
【特許文献１】特開２０１５−０２８４２３号  公報
【特許文献２】特開２０１３−０５３８１３号  公報
【特許文献３】特開２０１２−２１５３０９号  公報
【特許文献４】特開平０８−２３３３７９号  公報
【特許文献５】特開平０８−０３５７４６号  公報
【考案の概要】
【考案が解決しようとする課題】
【０００４】  液ハンマー衝撃の防止軽減を特別な機器や複雑な機器を使用せず、また既存の設備にも容易に追加でき費用も安価であるものが求められる。
【課題を解決するための手段】
【０００５】  上記の課題を解決するために、本考案は、冷凍設備において圧縮機、凝縮器、電磁弁、膨張弁、蒸発器等で構成される冷凍サイクルの、電磁弁と膨張弁の間にシンプルで安価な液ハンマーの衝撃軽減装置（以下、軽減装置と表記する）を取り付けることにより、上記の課題を解決するものである。【０００６】  この軽減装置は入口と出口の接続口を持ち、中に空間を設けた密封容器である。電磁弁が開いたときに、液体のフロンガスが気体のフロンガスを、中の空間に押しやり封じ込める構造になっている。その封じ込められた気体の持つ圧縮性で、液ハンマー現象により生ずる衝撃を吸収し軽減する装置である。
【考案の効果】
【０００７】  本考案の軽減装置は構造が簡単であるため、設置スペースが小さく設置時に伴う手間や設置後のトラブルが少ないうえ、費用が安価で新設や既設の冷凍設備を問わず容易に採用することが出来る。採用することにより、冷凍設備の信頼性が向上し商品のロスやメンテナンス費用の削減も期待でき、フロンガスの漏れ件数も減少し、環境保護にもつながる。
【図面の簡単な説明】
【０００８】
【図１】本考案の軽減装置の断面図である。
【図２】本考案の軽減装置の取り付け位置を記入した基本冷凍サイクル図である。
【考案を実施するための形態】
【０００９】  従来の、冷凍サイクル内の状態を図２に従って説明すると、冷却運転時は圧縮機１から凝縮器２までは高圧で気体の冷媒が、凝縮器２から膨張弁４までは高圧で液体の冷媒が、膨張弁４から蒸発器５までは低圧で液体と気体の混合した冷媒が、蒸発器５から圧縮機１までは低圧で気体の冷媒である。なお、冷却停止や除霜等で電磁弁３が閉じている時は、電磁弁３から圧縮機１までは低圧で気体の冷媒になる。
【００１０】  このような従来の冷凍サイクルでは、電磁弁３から膨張弁４の間は直接つながっているので、冷却開始時や除霜終了等で電磁弁３が開いた瞬間に高圧で液体の冷媒が勢いよく流れ込み、膨張弁４のノズル部に衝突する。その時に液ハンマー現象による衝撃が生じる。
【００１１】  本考案の軽減装置６は電磁弁３と膨張弁４の間に設ける。本考案の構造を図１に従って説明すると、軽減装置６は広い空間６ｂを持った密封容器６ａで、冷媒管サイズは出口側６ｄより入口側６ｃの方が細いサイズになっている。内部の構造は出口側６ｄから伸びた管の内側に入口側６ｃから伸びた管が挿入されていて、その挿入されている部分は僅かな隙間６ｅが出来るようになっている。
【００１２】  本考案の軽減装置６を取り付けた場合の、冷凍サイクル内の状態を図１と図２に従って説明すると、電磁弁３が閉じている時は電磁弁３から軽減装置６、膨張弁４、蒸発器５、圧縮機１までは低圧で気体の冷媒になっている。この状態の時に、電磁弁３が開くと高圧で液体の冷媒が軽減装置６の入口側６ｃから出口側６ｄを経て勢いよく流れ込み膨張弁４のノズル部に衝突する。同時に隙間６ｅを液体の冷媒が逆方向に流れ、密封容器６ａの空間６ｂに気体の冷媒を押しやり、封じ込める。空間６ｂに封じ込まれた気体の冷媒が持つ圧縮性で、先の衝突により生じた衝撃を吸収し軽減することが出来る。
【００１３】  また、電磁弁３の弁口径サイズや、電磁弁３から軽減装置６までの冷媒管サイズを必要最小限の物を使用することで、より衝撃軽減効果が得られる。
【符号の説明】
【００１４】    １  圧縮機
２  凝縮器
３  電磁弁
４  膨張弁
５  蒸発器
６  軽減装置
６ａ  密封容器
６ｂ  空間
６ｃ  入口側
６ｄ  出口側
６ｅ  隙間
【図１】
0003218140.tif 000003
【図２】
0003218140.tif 000004
【手続補正書】
【提出日】平成30年7月11日(2018.7.11)
【手続補正１】
【補正対象書類名】実用新案登録請求の範囲
【補正対象項目名】全文
【補正方法】変更
【補正の内容】
【実用新案登録請求の範囲】
【請求項１】
圧縮機、凝縮器、電磁弁、膨張弁、および蒸発器の順で配管接続され冷媒が循環する冷凍サイクルにおいて、電磁弁と膨張弁の間に、気体の冷媒を封じこめる構造を持った冷媒液ハンマー衝撃軽減装置を、備えることを特徴とした冷凍装置。
(57)【要約】      （修正有）【課題】コントロールが良く犯人への命中率が高く、他人の衣類や物品を汚すことが少なく、連続複数回発射できる防犯グッズを提供する。【解決手段】水鉄砲の原理で円筒の筒４の中にビニール容器の蛇腹管３を入れ、蛇腹管３に付けられた発射口２にキャップ１を装着した防犯グッズであって、蛇腹管３に防犯塗料を入れ、筒４の中にセットする。【選択図】図１
0003218135.tif 000002
【実用新案登録請求の範囲】
【請求項１】
水鉄砲の原理で円筒の筒の中にビニール容器の蛇腹管を入れ、発射口にはキヤップを装着した防犯グッズ
【請求項２】
水鉄砲の原理でビニール系の容器と容器の発射口にキヤップを装着した防犯グッズ
【考案の詳細な説明】
【技術分野】
【０００１】本考案は水鉄砲の原理でビニールの蛇腹管あるいは容器に、防犯用塗料を入れ圧力により発射口から勢いよく犯人に液体を発射することを目的とした防犯グッズ
【背景技術】
【０００２】
【非特許文献１】従来、防犯塗料の入った通常カラーボールと言うものはあった。
【考案の概要】
【考案が解決しようとする課題】
【０００３】（イ）犯人、標的への命中率が非常に悪かった。
（ロ）他人の物や、重要な書類、物品を汚す危険があった。
本考案は、それらの問題点を解決するためになされたものである。
【課題を解決するための手段】
【０００４】請求項１に於ては、ビニール系の蛇腹管に防犯用塗料を入れ水鉄砲の原理で塗料を勢いよく発射する。塗料が溢れないように、通常は、発射口にキヤップをする【０００４】請求項２に於ては、ビニールの容器に防犯用塗料を入れ手で強く握って勢いよく発射させる。塗料が溢れないように通常は、発射口にキヤップをする。以上のような構成である。
【考案の効果】
【０００５】従来の防犯カラーボールと違えコントロールが良く犯人への命中率が非常に高く、他人の衣類や、重要な書類、物品を汚すことは非常に少なく、１個で連続複数回発射できる効果がある。
【図面の簡単な説明】
【０００６】
【図１】本考案請求項１の平面図
【図２】本考案請求項２の平面図
【考案を実施するための形態】
【０００７】（イ）請求項１に於て、筒（４）に発射口（２）に付いた蛇腹管（１）を入れ、その蛇腹管に防犯塗料を入れ筒（４）の中にセットする。
押出筒（５）にストッパー（６）を設ける。発射口（２）にキヤップ（１）をする。
（ロ）請求項２に於て、発射口（２）の付いたビニール容器（７）に防犯塗料を入れて、発射口（２）にキヤップ（１）をする。
【符号の説明】１  キヤップ
２  発射口
３  ビニール蛇腹管
４  筒
５  押出し筒
６  ストッパー
７  ビニール容器
【図１】
0003218135.tif 000003
【図２】
0003218135.tif 000004
【手続補正書】
【提出日】平成30年7月9日(2018.7.9)
【手続補正１】
【補正対象書類名】実用新案登録請求の範囲
【補正対象項目名】全文
【補正方法】変更
【補正の内容】
【実用新案登録請求の範囲】
【請求項１】
水鉄砲の原理で円筒の筒の中にビニール容器の蛇腹管を入れ、蛇腹管に付けられた発射口にキャップを装着した防犯グッズ。
【請求項２】
水鉄砲の原理でビニール系の容器と容器の発射口にキャップを装着した防犯グッズ。
(57)【要約】      （修正有）【課題】上り坂や傾斜した舗装道路でも移動が容易なダブルハンドリム付き車椅子を提供する。【解決手段】てこの力を引き出すための大きな車輪１に取付けた第一ハンドリム２と一般的な平らな所を歩行する第二ハンドリム３を一体化して備えたダブルハンドリム付きの車椅子とする。【選択図】図１
0003218133.tif 000002
【実用新案登録請求の範囲】
【請求項１】
車椅子の走行を阻害する要因は二つある。
一つは舗装道路が左右どちらかへ傾斜している事である。
仮に左へ傾斜している路上で両車輪に力を加えると傾斜している左手の方へ大きく車体の向きが変る事になり、それから先は主に左手で進むことになる。
二つ目は町中には気付かない程度のゆるやかな坂道が数多く存在する。この二つが合わさると車椅子での走行は高齢者に限らず極めて困難になる。市街地を車椅子で自走する姿を見かけないのは傾斜と坂道が主な元因と思われる。
（解決手段）
解決手段として車椅子の車輪を、てこの力を利用し動かす為市販されている現行最大と思われる２４インチ車輪を上回る適正と思われる大きさの車輪を取り付け進行速度は低下するが、てこの力を引き出す第一ハンドリムと一般走行用に相当する位置に取り付ける第二ハンドリムを加えたダブルハンドリム付き車椅子とする。
第二ハンドリムは屋内に適しているが逆に筋力の低が見られる高齢者には初めから第一ハンドリムを使う事で自からの意思で自走できる生活をより長く維持できる車椅子でもある。
【考案の詳細な説明】
【技術分野】
【０００１】舗装道路の左右いずれかの傾斜と坂道に対応した車椅子
【背景技術】
【０００２】これまでは車椅子と舗装道路の左右の傾斜との関係を認識して作られた物はなく、買物等にでかけるにしてもデパート等に着く迄の途中の市街地では付き添われ、床の平らな店内では自走する人は見受けられるが左右いずれかに傾斜している舗装道路は、走行困難であるため市街地を一人で自走する姿は極端に少なく見る事はまれであった。
【考案の開示】
【考案が解決しようとする課題】
【０００３】舗装道路の左右いずれかへの傾斜は車椅子の走行が著しく困難であった。
【課題を解決するための手段】
【０００４】道路の左右いずれかの傾斜や坂道に対応する為に車椅子の両輪を大きくし、てこの原理で力を引き出す第一ハンドリムと平地で普通の速度で走行できる一般的なインチ数の車輪２２インチ前後の位置に取り付けられた第二ハンドリムの二つからなるＷハンドリム付き車椅子。
【考案の効果】
【０００５】従来車椅は歩行ができなくなってから利用する物と思われていたが今回の考案により肥満や年齢的なことで歩行ができなくなる前に元気な内に早めに利用し多いに外出を楽しんで頂きたい。
スーパーなどの店内へも入って行けるため、重量のかさむ食材の購入時に大いに助かり役立つものと思われる。
【実施例】
【０００６】舗装道路の傾斜は、傾斜している側の第一ハンドリムの片側を使い左右平らな坂道の場合は同じく第一ハンドリムの両方を使い屋内などでは第二ハンドリムの両方を使い分け快適に乗りこなせる車椅子である。
但し、筋力の弱い女性や高齢者は屋内でも前進力の強い第一ハンドリムのみを使う事で自からの意志で自走できる期間を伸ばし生活できるものである。
【図面の簡単な説明】
【０００７】
【図１】本考案の正面図
【符号の説明】
【０００８】１．タイヤ
２．第一ハンドリム
３．第二ハンドリム
４．車体
５．車軸
【図１】
0003218133.tif 000003
【手続補正書】
【提出日】平成30年3月11日(2018.3.11)
【手続補正１】
【補正対象書類名】実用新案登録請求の範囲
【補正対象項目名】全文
【補正方法】変更
【補正の内容】
【実用新案登録請求の範囲】
【請求項１】
車椅子の走行で困難になるひとつに筋力低下などの身体的な事と、アスファルト道路が左右どちらかに傾斜して
0003218133.tif 000004
車椅子を止め両輪に同じ力を加えると傾斜している方へその場で向きが変ってしまう。そのまま進行を続けるなら傾斜している方の片手のみの力で走行しなければならなくなりこれにゆるやかな坂でも加わるときわめて困難になる
本新案の車輪を大きくしてこの力を引き出すＷハンドリム付き車輪の第一ハントリムを利用することで外出も楽になると思える
又病院の入院高齢者もこの第一ハンドリムを利用することで車椅子で自走期間を大きくのばすことも可能となる
第二ハンドリムは市販されている２２インチ車椅子の車輪中心部からハントリム迄の位置と同じ位置に当る箇所に設置し屋内など平らな場所での使用に適しており速度も２２インチ車輪付車椅子と同じに走行できるものである
Ｗハンドリムの形状
タイヤを内側から固定している金属製のリムに取付けて使用するＷハンドリム
全体の形状は運動具のフラフープに以ており円の大きさは金属製リムと同じで、これを手で前に押すと前進手前に引くと後へさがる
素材は合成樹脂などの丈夫であることが必要である
第一ハンドリム特徴  大きな車輪に比例した大きさになるため力は大きいが速度は遅い
第二ハンドリム特徴  力は弱いが速度は速い。
【手続補正書】
【提出日】平成30年7月6日(2018.7.6)
【手続補正１】
【補正対象書類名】実用新案登録請求の範囲
【補正対象項目名】全文
【補正方法】変更
【補正の内容】
【実用新案登録請求の範囲】
【請求項１】
車椅子に付いている、てこの力を引き出す大きな車輪のリム部分外側に運動具のフラフープ似の形状を有するハンドリム、このハンドリムは第一ハンドリムとそれよりひとまわり小さく同じ形状を有する第二ハンドリムとが製造時から一体の物として作られており第一と第二ハンドリムをつないでいるアーム状の先端をそれぞれ両輪のリム部分に取り付け、この第一ハンドリムあるいは第二ハンドリムの適した方に手で力を加え走行するタブルハンドリム付き車椅子。
(57)【要約】      （修正有）【課題】食事中での胸元を汚さない器具を提供する。【解決手段】考案した器具は、つい立状の器具（ロ）とナプキン若しくはティッシュペーパー（ホ）と組み合わせて食事中ソース等の跳ねによる胸元汚れを退避する。また、つい立状の器具（ロ）の上部にナプキン若しくはティッシュペーパー（ホ）を押えにはさみ、固定をする。【選択図】図２
0003218141.tif 000002
【実用新案登録請求の範囲】
【請求項１】
食事中ソース等の跳ねによる胸元汚れを退避する為のつい立（小さな屏風）状の器具
【請求項２】
ナプキン若しくはティッシュペーパー等の消耗品の交換が簡単
【考案の詳細な説明】
【技術分野】
【０００１】麺類等の食事中で衣服の胸に跳ねてくるソース汚れを防ぐ
【背景技術】
【０００２】今までの前掛けタイプは物々しく（大げさ）見栄えもよだれ掛けのイメージの為アン・ファッショナブル
【考案の開示】
【考案が解決しようとする課題】
【０００３】実施例の写真のようについ立（小さな屏風）にナプキン若しくはティッシュペーパーの上部押えにはさみ固定した考案品を胸と食する物の間に置く
【課題を解決するための手段】
【０００４】考案した器具を胸元と食材の間に立てて置く事によって衣服の胸元を汚さない
【考案の効果】
【０００５】飛び跳ねによる胸元の汚れを退避でき、消耗品であるナプキン若しくはティッシュペーパーをたやすく交換できるので常に清潔
【考案を実施するための最良の形態】
【０００６】あご下から食台及び胸幅を保護でき、食事の邪魔にならない大きさ
【産業上の利用可能性】
【０００７】カレーうどん、イタリアンパスタ、鉄パン皿に乗ってきたステーキ・ハンバーグ、焼き肉等の飛び跳ねたソースのシミで困られた方には不可欠である
【図面の簡単な説明】
【０００８】
【図１】ナプキン若しくはティッシュペーパーを固定する機具（考案品）
【図２】ナプキン若しくはティッシュペーパーを固定し、この形態で食事の際胸元と食材の間に立ててソースの飛び跳ねをガードする（使用時の完成図）
【図３】ナプキン若しくはティッシュペーパーを容易く装着する部分
【符号の説明】
【０００９】（イ）・・顎  （ロ）・・考案品  （ハ）・・食品  （ニ）・・消耗品の押え
（ホ）・・ナプキン若しくはティッシュペーパー
【図１】
0003218141.tif 000003
【図２】
0003218141.tif 000004
【図３】
0003218141.tif 000005
【手続補正書】
【提出日】平成30年7月6日(2018.7.6)
【手続補正１】
【補正対象書類名】実用新案登録請求の範囲
【補正対象項目名】全文
【補正方法】変更
【補正の内容】
【実用新案登録請求の範囲】
【請求項１】
つい立状の器具とナプキン若しくはティッシュペーパーと組み合わせて食事中ソース等の跳ねによる胸元汚れを退避する為の器具
【請求項２】
つい立状の器具の上部にナプキン若しくはティッシュペーパーを押えにはさみ、固定をすることを特徴とする器具
(57)【要約】      （修正有）【課題】袋のサイズ、容量が自由に選べ、袋の開口部も大きくできる収納袋スタンドを提供する。【解決の手段】収納袋６と袋を保持するスタンドＳ１とから構成され、スタンドは少なくとも左右一対で構成されると共に、着座面に載置される基板部と基板部から立設される支柱部と、支柱部の上端部から直交方向に延びる水平棒部とを有し、水平棒部に袋を係止するクリップを２個取り付けられ、このクリップで収納袋を保持しつつ開口して挿入物を入れやすくする。【選択図】図３
0003218155.tif 000002
【実用新案登録請求の範囲】
【請求項１】
収納袋と該収納袋を保持するスタンドとから構成された収納袋スタンドであって、該スタンドは針金材で構成されると共に、着座面に載置される基板部と該基板部から立設される支柱部と、該支柱部の上端部から直交方向に延びる水平棒部と、該水平棒部に取り付けられた、係止部とから構成され、この収納袋スタンドは少なくとも左右一対で構成されると共に、前記係止部によって前記収納袋が保持されていることを特徴とする収納袋スタンド。
【考案の詳細な説明】
【技術の分野】
【０００１】  本考案は収納袋に物品やゴミなどを収納する際、常時収納物を挿入しやすくする為に考案されたものである。
【技術の背景】
【０００２】  従来の収納袋スタンドは枠組み、骨組み等にて構成され、収納袋を保持、掛止される例が多い。
【考案の概要】
【考案が解決しようとする課題】
【０００３】従来のポリ袋スタンドは、枠、骨組みに合うサイズの袋を選ぶため、サイズが限られる。【０００４】  ごみの排出は予想外の排出量の場合がある。顕著な例がプラスチックゴミの大量排出である。現存の骨、枠組みのスタンドでは賄いきれない場合が多い。
【課題を解決する為の手段】
【０００５】  収納袋と該収納袋を保持するスタンドとから構成された収納袋スタンドであって、該スタンドは針金材で構成されると共に、着座面に載置される基板部と該基板部から立設される支柱部と、該支柱部の上端部から直交方向に延びる水平棒部と、該水平棒部に取り付けられた係止部とから構成され、この収納袋スタンドは少なくとも左右一対で構成されると共に、前記係止部によって前記収納袋が保持されていることを特徴とする収納袋スタンド。
【考案の効果】
【０００６】  本考案の収納袋スタンドは使用する袋のサイズ、および容量が自由自在に選べる。則ち、袋を保持するスタンドの間隔を調整することによりそれができる。
【０００７】スタンドに取りつかれている係止部としてのクリップが袋を保持すると共に袋の開口部を充分開口してくれ、挿入物によってはトス投入や投入も可能である。
【０００８】現存の収納袋スタンドと比較して安価にできる率が大きく、又本案の収納袋スタンドを運送することとなった場合は、本品を何本もまとめて束ねられ、他の骨組み、枠組み製品と比較して運送品の荷物がコンパクトで運送料が安価で済む。
【図面の簡単な説明】
【０００９】
【図１】  本考案の第１実施例を示す、収納袋スタンドの左右一対で構成されるうちの一基のスタンドの斜視図である。
【図２】  本考案の第１実施例を示す、収納袋スタンドの側面図である。
【図３】  本考案の第１実施例を示す、収納袋スタンドの斜視図である。
【図４】  本考案の第２実施例を示す、左右一対で構成されるうちの一基のスタンドの斜視図である。
【図５】  本考案の第３実施例を示す、左右一対で構成されるうちの一基のスタンドの斜視図である。
【考案を実施するための形態】
【第１実施例】
【００１０】  本考案の収納袋スタンドＳ１、は、図１、から図３、に示すように収納袋６、と収納袋６を保持するスタンドＳ１、とから構成されている。この収納袋６は、スーパーや店などで買物用として使われるレジ袋・買い物袋及び大容量のポリ袋等を使用している。
【００１１】  前記スタンドＳ１、は図１、に示すように着座面に載置される基板部１、はスタンドの安定を保つよう針金材でブーメランの形状に曲げ加工し形成されている。この基板部１、から２本の針金材が着接しつつ上方方向に垂直に立設されて支柱部２，２、となっている。その支柱部２，２、の上端部から直交方向に延びる水平棒部３，３、に係止部となるクリップ４，４、がフレキシブルに取り付けられている。
【００１２】  前記クリップ４，４、にて収納袋６、を保持すると共に袋を開口し、ゴミなどの挿入物を入れやすくしてくれる。クリップ４，４、を各々離して保持するとその分開口部が広くなり挿入物を気軽に挿入する事が出来る。ものによっては投入も出来る。
【００１３】  水平棒部３，３、の左右両端部はクリップ脱線防止部材５，５、である。水平棒部３，３、の太さを一回り太い部材をかために嵌入し、取り付けられている。
【第２実施例】
【００１４】  図４、に示すように収納袋スタンドのスタンドＳ２の第２実施例を示す斜視図である。スタンドＳ２の支柱部７，７、が他の実施例と異なっている。上端部が支柱の針金が互いに接触しているのみで他は離れている。基板部８、と水平棒部３，３、は第１実施例と同じである。
【第３実施例】
【００１５】図５、に示すように、収納袋スタンドのスタンドＳ３の第３実施例を示す斜視図で、スタンドＳ３の作りが直線のみで、形成されている。その為曲げ加工がない為制作コストが下げられると考えられる。
【符号の説明】
【００１６】      １、基板部
２、支柱部
３、水平棒部
４、クリップ
５、クリップ脱線防止部材
６、収納袋
Ｓ１、スタンド・第１実施例のもの
Ｓ２，スタンド・第２実施例のもの
Ｓ３，スタンド・第３実施例のもの
７、支柱部
８、基板部
９、支柱部
１０、基板部
【図１】
0003218155.tif 000003
【図２】
0003218155.tif 000004
【図３】
0003218155.tif 000005
【図４】
0003218155.tif 000006
【図５】
0003218155.tif 000007
(57)【要約】【課題】本考案は、形状、大きさの異なる飲料容器を、安定して保持できるカップホルダーを提供する。【解決手段】箱状になった本体に、飲料のサイズに合った、穴のあいたフタを取付ける。その穴は丸い物、四角い物、両方の飲み物の容器の寸法に合わせてあり容器にピッタリの穴に、飲み物を入れれば、安定して保持する事が出来る。箱本体は画面テープなどで、車内のカップホルダーの上などに固定して使用する。【選択図】図１
0003218160.tif 000002
【実用新案登録請求の範囲】
【請求項１】
箱状の本体に、各種飲料のサイズに合わせた、穴のあいたフタを組み合わせた、カップホルダー
【請求項２】
フタには、ペットボトル、缶飲料のような、丸い形状の物が入る他に、紙パックなどの、四角い形状の飲料も入るようにした、特殊な形状の、穴の開いたフタを有する、請求項１のカップホルダー
【考案の詳細な説明】
【技術分野】
【０００１】本考案は、車の中などで各種サイズの飲み物を、倒れないように置く、カップホルダーに関するものである。
【背景技術】
【０００２】車に備え付けのカップホルダーは、飲み物を入れる所が丸くなっていて、紙パックなどの四角いパッケージは、入れる事が出来ない。
カップを入れる所も、２〜３個分しかなかった。
【考案の概要】
【考案が解決しようとする課題】
【０００３】車の中の、備え付けのカップホルダーは、ペットボトル、缶飲料のサイズに合わせている為、四角くて大きい紙パックなどは、入れられず不便であった。
また小さい紙パックは、入れても傾く、等の欠点を解決するものである。
【課題を解決するための手段】
【０００４】箱状になった本体に、飲料のサイズに合った、穴のあいたフタを取付ける。
その穴は丸い物、四角い物、両方の飲み物の容器の寸法に合わせてあり容器にピッタリの穴に、飲み物を入れれば、倒れたりこぼれたりしなくなる。
箱の本体は両面テープなどで、車内のカップホルダーの上などに固定する。
【図面の簡単な説明】
【０００５】
【図１】  本考案に係る、カップホルダーの斜視図
【図２】  カップホルダーの上面図
【図３】  カップホルダーの縦断面図
【考案を実施するための形態】
【０００６】４つの穴すべては、紙パックのサイズに合わせてあり、その内の３つは、ペットボトル、缶飲料も入る形状になっている。
【符号の説明】
【０００７】１    飲料を入れる穴のあいたフタ
２    ホルダーの本体
【図１】
0003218160.tif 000003
【図２】
0003218160.tif 000004
【図３】
0003218160.tif 000005